(57)【要約】【課題】設置スペースの小さいゲート装置を提供する。【解決手段】開閉によって利用者の通行を規制する扉と、筐体側方に突出した閉状態と筐体内部に収納した開状態とに前記扉を開閉駆動する駆動手段とを備えたゲート装置に対して、前記扉を、利用者の通行方向に対して筐体左側用の左側扉と筐体右側用の右側扉とで構成し、該左側扉と右側扉とを前記通行方向に並べて配設し、前記駆動手段を、前記右側扉については、閉状態とする際に前記筐体の右隣に配設された同種のゲート装置の左側扉へ向けて前記通行方向に傾斜して突出させ、前記左側扉については、閉状態とする際に前記筐体の左隣に配設された同種のゲート装置の右側扉へ向けて前記通行方向に傾斜して突出させる構成とした。【選択図】図１
2007193728.tif 000002
【特許請求の範囲】
【請求項１】
開閉によって利用者の通行を規制する扉と、筐体側方に突出した閉状態と筐体内部に収納した開状態とに前記扉を開閉駆動する駆動手段とを備えたゲート装置であって、
前記扉を、利用者の通行方向に対して筐体左側用の左側扉と筐体右側用の右側扉とで構成し、
該左側扉と右側扉とを前記通行方向に並べて配設し、
前記駆動手段を、前記右側扉については、閉状態とする際に前記筐体の右隣に配設された同種のゲート装置の左側扉へ向けて前記通行方向に傾斜して突出させ、前記左側扉については、閉状態とする際に前記筐体の左隣に配設された同種のゲート装置の右側扉へ向けて前記通行方向に傾斜して突出させる構成とした
ゲート装置。
【請求項２】
前記左側扉と前記右側扉を、前記傾斜した角度で互いに平行に前記筐体内部に配設した
請求項１記載のゲート装置。
【発明の詳細な説明】
【技術分野】
【０００１】
この発明は、例えば駅の改札に設置されて利用者の所持する乗車券などの媒体から取得した情報に基づいて利用者の通行可否を規制するようなゲート装置に関する。
【背景技術】
【０００２】
従来、出入口等のゲートに設けられて利用者の通行を規制するゲート装置として、開閉する扉を備えた種々のゲート装置が提供されている。このゲート装置の扉構造として、扉の回転軸が上下方向に設けられたものが提供されている。この種類のゲート装置は、開状態（通行許可状態）で扉が筐体側面に沿って面接触する状態となり、閉状態（通行拒否状態）で扉が筐体側方へ回転してゲート装置本体に対して平面視Ｌ字状に側方へ突出した状態となる。このため、仮に同一の扉でゲートの前後両側からの通行を規制しようとすると、一方の通行に対しては開閉途中に利用者が扉に衝突しても扉表面が衝突するが、他方の通行に対しては開閉途中に利用者が扉に衝突すると扉の外側の端辺が衝突することになる。このように端辺が利用者に衝突することは危険であるため、この種のゲート装置でゲートの前後両側からの通行を許容するゲート装置には、一方からの通行用の扉と、その逆となる他方からの通行用の扉が別々に設けられている。
【０００３】
一方、ゲート装置の他の扉構造としては、扉の回転軸がゲートの前後方向に設けられた自動改札装置が提供されている（特許文献１参照）。この種類のゲート装置は、扉の表面が通行方向と直交するように配置され、筐体に収納された開状態から通行方向と直交する方向へ扉が突出して閉状態となる。このため、ゲートの前後方向のどちらからの通行に対しても、利用者を規制する際の扉と利用者との衝突態様が同一の態様となる。従って、両側からの通行を同一の扉で規制しても特に問題が生じない。
【０００４】
しかし、この自動改札装置は、自動改札装置の片側を通行する利用者しか規制できなかった。つまり、扉は一枚備えられているだけであり、通路を挟んで左にある左用の自動改札機は扉を右へ突出させ、通路を挟んで右にある右用の自動改札機は扉を左に突出させる構成となっていた。従って、通行方向の左右方向に複数の通路を設ける場合、右用の自動改札機の右隣に左用の自動改札機を隣接させる必要が生じ、通路と通路の間に存在する自動改札機の幅が２台分となって設置スペースを大きくとってしまうという問題点があった。
【０００５】
【特許文献１】特開昭５４−２０８８０号公報
【発明の開示】
【発明が解決しようとする課題】
【０００６】
この発明は、上述の問題に鑑み、設置スペースの小さいゲート装置を提供することを目的とする。
【課題を解決するための手段】
【０００７】
この発明は、開閉によって利用者の通行を規制する扉と、筐体側方に突出した閉状態と筐体内部に収納した開状態とに前記扉を開閉駆動する駆動手段とを備えたゲート装置であって、前記扉を、利用者の通行方向に対して筐体左側用の左側扉と筐体右側用の右側扉とで構成し、該左側扉と右側扉とを前記通行方向に並べて配設し、前記駆動手段を、前記右側扉については、閉状態とする際に前記筐体の右隣に配設された同種のゲート装置の左側扉へ向けて前記通行方向に傾斜して突出させ、前記左側扉については、閉状態とする際に前記筐体の左隣に配設された同種のゲート装置の右側扉へ向けて前記通行方向に傾斜して突出させる構成としたゲート装置であることを特徴とする。
【０００８】
前記駆動手段は、扉を回転駆動するモータ等の駆動手段、または扉をスライド移動させるモータ等の駆動手段で構成することができる。  
前記同種のゲート装置は、扉の配置が同種であるゲート装置を指し、全く同一のゲート装置で構成すること、あるいは異なる部分を有しても扉の配置が同一またはほぼ同一であるゲート装置で構成することができる。  
この発明により、設置スペースの小さいゲート装置を提供することができる。
【０００９】
この発明の態様として、前記左側扉と前記右側扉を、前記傾斜した角度で互いに平行に前記筐体内部に配設することができる。  
これにより、傾斜角度が一定の状態で前記左側扉および前記右側扉を開閉できるため、通路を挟んで並設した２つのゲート装置の閉状態での左側扉と右側扉との位置合わせを容易化できる。
【発明の効果】
【００１０】
この発明により、設置スペースの小さいゲート装置を提供することができる。
【発明を実施するための最良の形態】
【００１１】
この発明の一実施形態を以下図面と共に説明する。  
図１は、複数の自動改札機２（２Ａ，２Ｂ，２Ｃ）を並設した自動改札システム１の構成図を示し、図２は自動改札機２Ｂの横断平面の説明図を示し、図３は自動改札機２Ｂの縦断正面概略図を示す。
【００１２】
自動改札システム１は、複数の通路Ｐ（Ｐ１，Ｐ２，Ｐ３）を挟むようにして複数の自動改札機２が横並びに設置され、図示省略する駅サーバ等に接続されて構成されている。１つの通路Ｐの両横には同種の自動改札機２（２Ａ，２Ｂ，２Ｃ）が並設されており、自動改札機２と通路Ｐとが幅方向（通行方向Ｄ１，Ｄ２に対して直行する方向）に交互に並ぶ構成となっている。またこれら複数の自動改札機２と併設して図示省略する駅係員の詰め所も設けられている。
【００１３】
自動改札機２は、開閉する扉１５（１５Ｌ，１５Ｒ）が通行方向中央部に設けられており、通行方向の前後両端部平面に媒体読取部１２（１２Ｌ，１２Ｒ）が設けられている。
【００１４】
ここで、図１は図中下方が改札外側、図中上方が改札内側であり、自動改札機２は乗車用記憶媒体としてカード型非接触ＩＣ媒体とコイン型非接触ＩＣ媒体を利用できるものである。このため、改札外側に設けられている左側媒体読取部１２Ｌは、カード型非接触ＩＣ媒体とコイン型非接触ＩＣ媒体のいずれとも非接触で通信できるアンテナ８Ｌにより構成されている。また改札内側に設けられている右側媒体読取部１２Ｒは、カード型非接触ＩＣ媒体およびコイン型非接触ＩＣ媒体と非接触で通信するアンテナ８Ｒにより構成されている。このアンテナ８Ｒは、上面を自動改札機２の平面に対して右側へ傾けて設けられる。また、使い切りのコイン型非接触ＩＣ媒体を投入させる投入口９が右側媒体読取部１２Ｒのアンテナ８Ｒに並設されている。アンテナ８Ｒを傾けることで、カード型非接触ＩＣ媒体だけでなく、投入口９に投入されるコイン型非接触ＩＣ媒体とも非接触で通信できるようにしている。
【００１５】
この自動改札機２は、２つの扉１５と２つの媒体読取部１２を備えた自動改札機２Ｂが基本であり、複数配設された自動改札機２のうち左右両端の自動改札機２Ａ，２Ｃが一部要素を省略されている。
【００１６】
つまり、左端部に配設された自動改札機２Ａは、該自動改札機２Ａの左側に通路Ｐが存在しないため、左側扉１５Ｌと左側媒体読取部１２Ｌが省略されてコストダウンが図られている。
【００１７】
また、右端部に配設された自動改札機２Ｃは、該自動改札機２Ｃの右側に通路Ｐが存在しないため、右側扉１５Ｒと右側媒体読取部１２Ｒが省略されてコストダウンが図られている。
【００１８】
なお、自動改札機２Ａ，２Ｂ，２Ｃは、このように構成要素が一部省略されている以外は同一であるため、同一の製造ラインにて製造されている。
【００１９】
自動改札機２Ｂの左側扉１５Ｌと右側扉１５Ｒは、図２（Ａ）の横断拡大平面図に示すように、利用者の通行方向と直交する真横方向よりも通行方向（前後方向）に少し傾斜させて設けている。この左側扉１５Ｌと右側扉１５Ｒは、いずれも傾斜角度が同一であり、互いに平行になるよう配設している。
【００２０】
左側扉１５Ｌは、図３に示すように、肉厚一定で上下に長い板状の部材で形成されており、自動改札機２Ｂの筐体３の左下部に設けられた回転軸２５Ｌに左下部が軸支されている。この左側扉１５Ｌは、右下角が切り取られた略扇状の形であり、上辺２８Ｌが、回転軸２５Ｌの軸心を中心とする円弧形状に形成されている。この上辺は、左側部から右側部へかけて低くなるように形成されている。
【００２１】
左側扉１５Ｌは、前記回転軸２５Ｌの回転によって矢印ＹＬに示すように回転する。この回転によって、左側扉１５Ｌは、自動改札機２Ｂの筐体３内に収納された開状態（通行許可状態）と、自動改札機２Ｂの筐体３の左側面に縦長に形成された穴２７Ｌから通路Ｐ側（左側）へ突出した閉状態（通行拒否状態）とに回転動作できる。この回転動作の際、上述したように左側扉１５Ｌの左上角より右上角が低いため、右上角が自動改札機２Ｂの穴２７Ｌの上端等に接触せずスムーズに回転できる。
【００２２】
また、回転軸２５Ｌは、図２（Ａ）に示したように、利用者の通行方向となる前後方向から左側扉１５Ｌの傾斜角度と同一角度だけ傾斜して設けられている。このため左側扉１５Ｌは、図２（Ａ）の開状態（収納状態）から図２（Ｂ）の閉状態（突出状態）まで、前後方向の傾斜角度を維持したまま回転して開閉動作できる。
【００２３】
一方、右側扉１５Ｒは、図３に示すように、肉厚一定で上下に長い板状の部材で形成されており、自動改札機２Ｂの筐体３の右下部に設けられた回転軸２５Ｒに右下部が軸支されている。この右側扉１５Ｒは、左下角が切り取られた略扇状の形であり、上辺２８Ｒが、回転軸２５Ｒの軸心を中心とする円弧形状に形成されている。この上辺は、右側部から左側部へかけて低くなるように形成されている。
【００２４】
右側扉１５Ｒは、前記回転軸２５Ｒの回転によって矢印ＹＲに示すように回転する。この回転によって、右側扉１５Ｒは、自動改札機２Ｂの筐体３内に収納された開状態（通行許可状態）と、自動改札機２Ｂの筐体３の右側面に縦長に形成された穴２７Ｒから通路Ｐ側（右側）へ突出した閉状態（通行拒否状態）とに回転動作できる。この回転動作の際、上述したように右側扉１５Ｒの右上角より左上角が低いため、左上角が自動改札機２Ｂの穴２７Ｒの上端等に接触せずスムーズに回転できる。
【００２５】
また、回転軸２５Ｒは、図２（Ａ）に示したように、利用者の通行方向となる前後方向から右側扉１５Ｒの傾斜角度と同一角度だけ傾斜して設けられている。このため右側扉１５Ｒは、図２（Ａ）の開状態（収納状態）から図２（Ｂ）の閉状態（突出状態）まで、前後方向の傾斜角度を維持したまま回転して開閉動作できる。
【００２６】
前記回転軸２５Ｒと回転軸２５Lとは独立して駆動する構成にしており、右側扉１５Ｒと左側扉１５Lとをそれぞれ独立して個別に開閉動作させることができる。
【００２７】
図４は、自動改札機２のブロック図を示す。  
自動改札機２は、制御部１１に接続して、媒体読取部１２、表示部１３、扉制御部１４、扉１５、報知部１６、スピーカ１７、ランプ１８、記憶部１９、及び通信部２０とを備えている。
【００２８】
制御部１１は、ＣＰＵ、ＲＯＭ、及びＲＡＭで構成しており、ＲＯＭに格納したプログラムに従って、接続されている各種装置を駆動制御する。このプログラムには、左側媒体読取部１２Ｌで受け付けた乗車用記憶媒体５が通行可なら左側扉１５Ｌを開状態とし、右側媒体読取部１２Ｒで受け付けた乗車用記憶媒体５が通行可なら右側扉１５Ｒを開状態とする開閉制御プログラムも含まれる。
【００２９】
媒体読取部１２は、制御部１１の制御信号に従って、乗車用記憶媒体５の記憶部に記憶されているデータを読み取る。この読み取りは、アンテナからの誘導電磁界により非接触でデータを読み取るなど、乗車用記憶媒体５に合わせた適宜の方法で実行する。
【００３０】
表示部１３は、液晶表示装置で構成しており、制御部１１の制御信号に従って文字や図形を表示する。この表示として、通過可否の表示も行う。  
扉制御部１４は、制御部１１の制御信号に従って、モータ等の駆動手段によって回転軸２５（２５Ｌ，２５Ｒ）を回転させて扉１５を開閉駆動する。
【００３１】
報知部１６は、制御部１１の制御信号に従って、スピーカ１７による音声報知あるいはアラーム音発音、ランプ１８の点灯あるいは点滅を行う。  
記憶部１９は、必要なデータやプログラムを格納しており、制御部１１の制御信号に従って、データやプログラムの読書きを実行する。
【００３２】
通信部２０は、制御部１１の制御に従って、図示省略する駅サーバ、自動精算機、及び窓口機といった他の駅務装置と通信し、他の駅務装置で計算された運賃データを受信する。
【００３３】
以上の構成により、自動改札機２は、乗車用記憶媒体５から左側媒体読取部１２Ｌまたは右側媒体読取部１２Ｒでデータを読み取って制御部１１で通行可否を判定し、通行可と判定すれば対応する左側扉１５Ｌまたは右側扉１５Ｒを開状態に駆動する。また、自動改札機２は、隣の自動改札機２から開閉信号を受信し、この開閉信号に従って左側扉１５Ｌまたは右側扉１５Ｒを扉制御部１４で開閉駆動する。つまり、１つの通路Ｐを例えば通行方向Ｄ２に通行しようとする利用者に対して、右側の自動改札機２の左側媒体読取部１２Ｌで乗車用記憶媒体５を受け付け、通行可否を判定した制御部１１が、この自動改札機２の左側媒体読取部１２Ｌと、通路Ｐを挟んで左隣の自動改札機２の右側媒体読取部１２Ｒとを同期を取って同時に開閉動作させる。
【００３４】
この同期を取った開閉動作について詳述すると、隣り合う自動改札機２のうち、乗車用記憶媒体５を受け付けた右側の自動改札機２は、左側の自動改札機２に開閉信号を送信すると共に、左側扉１５Ｌの開動作（あるいは閉動作）を実行する。左側の自動改札機２は、前記開閉信号を受信し、この開閉信号に従って右側扉１５Ｒの開動作（あるいは閉動作）を実行する。これにより、右側の自動改札機２の左側扉１５Ｌと、左側の自動改札機２の右側扉１５Ｒとが、乗車用記憶媒体５を受け付けた右側の自動改札機２の制御によって同時に開動作（あるいは閉動作）する。
【００３５】
以上の構成により、自動改札機２は、入場および出場する利用者の通行可否を扉１５で規制することができる。  
左側扉１５Ｌおよび右側扉１５Ｒを通行方向に並べて配設したため、自動改札機２の左右幅は、１枚の扉１５の扉幅Ｗ（図３参照）を収納できるサイズであればよく、通路Ｐと通路Ｐの間に存在する自動改札機２の左右幅を最小限に抑えることができる。
【００３６】
また、扉１５は通行方向に傾斜させて配設したため、通路Ｐの左側に設置された自動改札機２の右側扉１５Ｒと、該通路Ｐの右側に設置された自動改札機２の左側扉１５Ｌとが、閉状態のときに図１に示したように前後方向の段差無く平面視一直線上になり、見た目を美しくすることができる。つまり、閉状態で左右の扉に前後方向に段差があれば、きちっと閉まっていないように見えて見栄えが悪く利用者の不満に繋がるが、段差をなくすことでこのような利用者の不満を回避して満足度を向上することができる。
【００３７】
また、段差をなくすことで左側扉１５Ｌと右側扉１５Ｒとの最も近接する角部２９Ｌ（図１，３参照）と角部２９Ｒを対向させて両者間の隙間を小さくする（若しくは接触させて隙間をなくす）ことができ、強引な通り抜けを抑制することができる。
【００３８】
また、扉１５を傾斜配置したため、同一の自動改札機２を左右方向に複数並設するだけで、前後両方に通行できる通路Ｐを複数設けることができ、複数種類の自動改札機２を製造する必要がなく、コストダウンを図ることができる。すなわち、仮に扉１５を傾斜させず通行方向に直行して配置した場合、段差を無くそうとすると通路左側の自動改札機は右側扉を手前、左側扉を奥に配置し、通路右側の自動改札機はこれと対象に左側扉を手前、右側扉を奥に配置する必要が生じる。そうすると自動改札機が２種類となって製造ラインが複数必要になり、また設置時に設置間違いがないように確認作業も必要となって、コスト増に繋がる。しかし、本実施形態は、上述したように同一の自動改札機２を左右方向に複数並設するだけでよいため、コストを削減することができる。そして、通路を挟んで並設した２つの自動改札機２の閉状態での左側扉１５Ｌと右側扉１５Ｒとの位置合わせを容易化できる。
【００３９】
また、通行方向Ｄ１，Ｄ２のどちら方向への通行であっても扉１５で規制できるため、従来のように通行方向に対応して前後両側に扉を配設するよりもコストを削減でき、また制御も簡略化できる。
【００４０】
なお、以上の実施形態では、回転軸２５を筐体３の下部に設けたが、回転軸２５を筐体３の上部に設けて下方から扉１５が突出する構成にすることもできる。本実施形態のように回転軸２５を筐体３の下部に設けて扉１５を上方から突出する構成にすることで、高い位置で利用者の通行を阻止でき、足元で阻止する場合よりもしっかりと通行を阻止できる。
【００４１】
また、扉１５は回転動作する構成にしたが、スライド移動によって筐体３から突出し、また筐体３内へ収納するように構成してもよい。この場合も、本実施形態と同様に利用者の通行を阻止できる。なお、本実施形態は、このようにスライド移動するのではなく下部で回転支持して回転開閉することにより、閉状態では扉１５の重心が回転軸２５より筐体３の外側となり、開状態では扉１５の重心が回転軸２５より筐体３の内側となって、開状態および閉状態での扉１５の位置を自重によって安定させることができる。特に扉１５の形状は、回転軸２５と幅方向逆側の角が落とされて全体が略扇状となっているため、左右の重さの釣り合いが取れて扉１５が安定して回転できる。  
また、扉１５は筐体３内に開状態で全部を収納する構成にしたが、全部でなくとも大部分を収納する構成としてもよい。
【００４２】
また、左側扉１５Ｌと右側扉１５Ｒは、通行方向前方（図１の下側）の左側扉１５Ｌが回転により左後方（図１の左上方向）へ突出し、通行方向後方（図１の上側）の右側扉１５Ｒが回転により右前方（図１の右下方向）へ突出する構成としたが、左側扉１５Ｌを通行方向後方（図１の上側）に配設して回転により左前方（図１の左下方向）へ突出し、右側扉１５Ｒを通行方向前方（図１の下側）に配設して回転により右後方（図１の右上方向）へ突出する構成にして、上述した実施例と扉１５の傾斜方向が異なるように構成してもよい。この場合でも、上述した実施例と同一の効果が得られる。
【００４３】
この発明の構成と、上述の実施形態との対応において、
この発明のゲート装置は、実施形態の自動改札機２Ｂに対応し、
以下同様に、
同種のゲート装置は、自動改札機２Ａ，２Ｂ，２Ｃに対応し、
駆動手段は、扉制御部１４に対応するも、
この発明は、上述の実施形態の構成のみに限定されるものではなく、多くの実施の形態を得ることができる。
【図面の簡単な説明】
【００４４】
【図１】自動改札システムの構成図。
【図２】自動改札機の横断平面の説明図。
【図３】自動改札機の縦断正面概略図。
【図４】自動改札機のブロック図。
【符号の説明】
【００４５】
２，２Ａ，２Ｂ，２Ｃ…自動改札機
３…筐体
１４…扉制御部
１５Ｌ…左側扉
１５Ｒ…右側扉
Ｄ１，Ｄ２…通行方向
【図１】
2007193728.tif 000003
【図２】
2007193728.tif 000004
【図３】
2007193728.tif 000005
【図４】
2007193728.tif 000006